(57)【要約】【課題】制御棒自身の構造により、かつ制御棒機能を損なうことなく、地震発生時等の燃料集合体の振動応答を低減し、制御棒や燃料集合体に発生する接触・衝突力の低減を達成可能な、軽水炉用制御棒を提供する【解決手段】長手方向の曲げ剛性を高くする制御棒のフォロアー２３Ａは、フォロアーの横断面方向に波状となるような波板構造部材２１０Ａと、空間部２１１と、内部位置決め部材２０３と、外部位置決め部材２０４と、カバー板２０５と、タイロッド２１とを備える。【選択図】  図７
2018072053.tif 000002
【特許請求の範囲】
【請求項１】
部材を固定するタイロッドと、炉心の冷却材領域を減らすフォロアーと、前記フォロアーを構成するカバー板を備えた軽水炉用の制御棒であって、
前記フォロアーの内部に、前記タイロッドの中心軸と並行な稜線を有した波板構造部材を備えることを特徴とする制御棒。
【請求項２】
請求項１に記載の軽水炉用の制御棒において、前記波板構造部材が前記カバー部材と結合されないことを特徴とする制御棒。
【請求項３】
請求項１乃至２のいずれか１項に記載の軽水炉用の制御棒において、前記波板構造部材の内部に黒鉛材料を備えることを特徴とする制御棒。
【請求項４】
部材を固定するタイロッドと、前記タイロッドに固定され、炉心の冷却材領域を減らすフォロアーを備えた軽水炉用の制御棒であって、
前記フォロアーの内部に、前記タイロッドの中心軸と垂直な稜線を有した波板構造部材を備えることを特徴とする制御棒。
【請求項５】
請求項１乃至４のいずれかに記載の軽水炉用の制御棒において、制御棒フォロアーの上下に異なる方向となる波板構造部材を備えることを特徴とする制御棒。
【発明の詳細な説明】
【技術分野】
【０００１】
本発明は、軽水炉の制御棒に係り、特に、沸騰水型原子炉の炉心に適用するのに好適な軽水炉の制御棒に関する。
【背景技術】
【０００２】
燃料集合体を稠密に配置して水対燃料物質比を低減した軽水炉や軽水転換炉では、従来の沸騰水型原子炉（ＢＷＲ：Ｂｏｉｌｉｎｇ  Ｗａｔｅｒ  Ｒｅａｃｔｏｒ）と比較して超ウラン核種の転換比を高めている。例えば、原子炉運転時における超ウラン核種の発生量と消滅量をほぼ一定にして、転換比を約１．０とすることができる。
【０００３】
この炉心特性を達成するため、特許文献１に記載される軽水増殖炉や軽水転換炉（以下、軽水炉）の炉心では、六角形の水平断面を持つチャンネルボックス内に、劣化ウランに超ウラン核種を富化した燃料ペレットを封入した燃料棒を多数配置した燃料集合体を用いて燃料密度を増加させている。また、減速材と冷却材を兼ねている軽水の流量を低減し、現行のＢＷＲよりボイド率（水と蒸気の気液二相流の中で蒸気が占める体積を割合）を高めており、水対燃料物質比を小さくしている。このように水対燃料物質比を小さくすると、軽水による中性子減速効果が抑制され、高速中性子や共鳴領域の中性子が増加するため、超ウラン核種の転換を増加できる。
【０００４】
特許文献１の軽水炉において使用される制御棒は、Ｙ字型の横断面を有しており、軽水炉の炉心に装荷される稠密六角形型燃料集合体３体に対してＹ字型制御棒１体の割合で配置されている。Ｙ字型制御棒は、中心に位置するタイロッドから外側に向かって伸びる３枚のブレードを有し、各ブレードはタイロッドの周囲に１２０度の間隔を持って配置されている。各ブレードの下半分には中性子吸収剤であるボロンカーバイド（以下、Ｂ４Ｃと記載）が装填された複数の中性子吸収棒を備えており、従来のＢＷＲと同様に、制御棒の炉心内への挿入操作、および炉心からの引抜き操作によって原子炉の出力調整が行われる。
【０００５】
またＹ字型制御棒の中性子吸収材の上部、すなわち、炉心に最初に挿入される上端部には黒鉛材料が装填されるフォロアーを備える。黒鉛材料は軽水より中性子減速能が小さい物質であり、定格運転中の燃料集合体間にフォロアーを挿入することで軽水領域を排除し、水対燃料物質比を小さくすることができる。このため、特許文献１に記載の制御棒構造は水対燃料物質比を小さくする目的において有効である。
【０００６】
ところで、軽水炉用の制御棒機能として、緊急時には原子炉内のすべての制御棒が即座に炉心に挿入され、炉心を未臨界状態とすることで原子炉を緊急停止する必要がある。例えば、巨大地震発生時に、炉心に装荷された燃料集合体が地震動により水平方向に振動させられ、燃料集合体に過大な変形が発生する状況であっても、制御棒は炉心内に所定の時間内に挿入されなければならない。
【０００７】
特許文献２に記載の制御棒構造では、軽水排除領域であるフォロアーを柔軟な構造とすることで、燃料集合体変形にフォロアーが追従して変形し、制御棒の挿入性を確保しつつ、軽水の排除性を高め、転換比を高めることができる。
【先行技術文献】
【特許文献】
【０００８】
【特許文献１】特開２０１３−３３０６５号公報
【特許文献２】ＷＯ２０１５／０９７７８２Ａ１
【発明の概要】
【発明が解決しようとする課題】
【０００９】
前述のように、燃料集合体を稠密に配置して水対燃料物質比を低減する軽水炉では、燃料集合体と制御棒の間隙、および燃料集合体同士の間隙を狭くすることで、軽水による中性子減速効果を抑えて、超ウラン核種の転換比を高める。このため、従来のＢＷＲに比べて、地震動などによって炉内構造に外力が加わり振動した場合、制御棒と燃料集合体、および燃料集合体同士で接触・衝突が発生する頻度が高くなる。このとき、燃料集合体や制御棒の接触・衝突部位には衝撃荷重が作用するため、制御棒や燃料集合体の健全性維持において、衝撃荷重が小さくなる構造が望ましい。また制御棒は、制御棒挿入時および挿入後においても過度な変形を生じず、内包する中性子吸収剤や黒鉛材料を保持し続ける必要がある。
【００１０】
上記の解決手段として、燃料集合体の耐震性向上を目的に、燃料集合体の剛性を高める方法がある。これにより、地震動に対する燃料集合体の振動応答を低減できるので、制御棒や燃料集合体に作用する荷重の低減が可能である。しかしながら、燃料集合体の構造は炉心性能への影響度が大きいため、燃料集合体の構造変更は実施が難しい。
【００１１】
よって、燃料集合体を稠密配置する軽水炉で使用される制御棒は、フォロアーにおいて水領域を排除する機能、中性子吸収部において原子炉を緊急停止する機能、緊急時に即座に挿入され、かつ損傷しない構造を有する必要がある。特許文献２の制御棒構造では、水領域を排除する機能、原子炉を緊急停止する機能、制御棒が即座に挿入される機能を有していると考えられる。しかしながら、地震力に対して制御棒の変形を抑制するためは、より剛性の高い構造を採用する必要がある。
【００１２】
本発明は、上記の問題点を解消するためになされたものであり、その目的は、制御棒自身の構造により、かつ制御棒機能を損なうことなく、地震発生時等の燃料集合体の振動応答を低減し、発生する接触・衝突力の低減を達成可能な、軽水炉用制御棒を提供することである。
【課題を解決するための手段】
【００１３】
上記課題を解決するため、例えば特許請求の範囲に記載の構成を採用する。
本願は上記課題を解決する手段を複数含んでいるが、その一例を挙げるならば、軽水炉用の制御棒であって、フォロアーの内部に、タイロッドの中心軸と並行な稜線を有した波板構造部材を備えることを特徴とする。
【発明の効果】
【００１４】
本発明によれば、制御棒ブレードのフォロアーは、内部の波板構造部材によってブレード長手方向の曲げ剛性が高くなるように構成したので、地震発生時等の制御棒に曲げ荷重が作用する状況において、制御棒自身の変形量が小さくなり、制御棒が燃料集合体の振動を抑制するので燃料集合体の変形量を小さくすることができる。すなわち、制御棒や燃料集合体が接触・衝突する際に発生する荷重を小さくすることができる。
上記した以外の課題、構成及び効果は、以下の実施形態の説明により明らかにされる。
【図面の簡単な説明】
【００１５】
【図１】燃料集合体を稠密配置する軽水炉の単位セルを示す横断面図である。
【図２】図１に示す軽水炉で使用される制御棒全体の構造を示す斜視図である。
【図３】ＲＢＷＲ用制御棒におけるフォロアーを示す横断面図、およびそのブレードの詳細構造の一例を示す拡大図である。
【図４】ＲＢＷＲ用制御棒における中性子吸収部を示す横断面図、およびそのブレードの詳細構造の一例を示す拡大図である。
【図５】図１に示す軽水炉で使用される燃料集合体と、定格運転時の制御棒および緊急時に挿入された状態の制御棒の位置関係を示す模式図である。
【図６】本発明の制御棒の第１の実施の形態におけるフォロアーを示す斜視図である。
【図７】図７に示す本発明の制御棒の第１の実施の形態におけるフォロアーを示す横断面図である。
【図８Ａ】本発明の制御棒の第２の実施の形態におけるフォロアーの一例を示す横断面図である。
【図８Ｂ】本発明の制御棒の第２の実施の形態におけるフォロアーの一例を示す横断面図である。
【図９】本発明の制御棒の第３の実施の形態におけるフォロアーを示す横断面図および、そのブレードの詳細構造の一例を示す拡大図である。
【図１０】本発明の制御棒の第４の実施の形態のフォロアーの一例を示す斜視図である
【図１１】本発明の制御棒の第５の実施の形態のフォロアーの一例を示す斜視図である
【発明を実施するための形態】
【００１６】
以下、本発明の軽水炉用制御棒の実施の形態を説明するが、まず図１乃至図５を用いて、燃料集合体を稠密配置する軽水炉の、現行の燃料集合体と制御棒の構造を説明する。ただし、本発明の適用先はここで説明する軽水炉に限定するものではなく、異なる形状の炉心構造にも適用可能である。
【００１７】
図１は燃料集合体を稠密配置する軽水炉の単位セルを示す横断面図、図２は、図１に示す軽水炉で使用される制御棒全体の構造を示す斜視図である。図1は使用済み核燃料を燃料に使う資源再利用型沸騰水型軽水炉（以下、ＲＢＷＲ）の単位セルを示す図である。図１に示すＲＢＷＲの場合、単位セルは３体の燃料集合体１０と、それらの間隙に配置される１体の制御棒２０からで構成される。
【００１８】
燃料集合体１０の間隙は軸方向に長いため、図２に示すように、制御棒２０は長尺構造となっている。図２に示すＲＢＷＲ用の制御棒はハンドル２２、フォロアー２３、中性子吸収部２４、コネクタ２５がタイロッド２１を介して縦一列に結合した構造となる。これらの部材は、例えば溶接や拡散接合などによって結合される。ハンドル２２は制御棒の交換時に交換用の機械で掴む部位である。フォロアー２３は、炉心の冷却材領域を減らすことを目的とした、中性子吸収材を内包しない部位である。中性子吸収部２４は、大規模地震時などに炉心を緊急停止することを目的とした、中性子吸収材を内包する部位である。コネクタ２５は制御棒の下部に設置され、下端のカップリングを介して制御棒駆動装置に接続される部位である。
【００１９】
図３は、ＲＢＷＲ用制御棒におけるフォロアーを示す横断面図、およびそのブレードの詳細構造の一例を示す拡大図である。フォロアーのブレード２３は、中性子吸収能が小さい黒鉛材料２０１と、黒鉛材料を内包する黒鉛内包材２０２と、内部位置決め部材２０３と、外部位置決め部材２０４と、カバー板２０５から構成される。黒鉛材料２０１以外のこれらの部材は、例えば溶接や拡散接合などによって結合され、内部位置決め部材２０３とカバー板２０５を介してタイロッド２１と結合される。
【００２０】
図４は、ＲＢＷＲ用制御棒における中性子吸収部を示す横断面図、およびそのブレードの詳細構造の一例を示す拡大図である。中性子吸収部のブレード２４は、中性子吸収能が大きい中性子吸収材２０６と、中性子吸収材を内包するスクエア管２０７と、内部位置決め部材２０３と、外部位置決め部材２０４と、カバー板２０５から構成される。中性子吸収材２０６以外のこれらの部材は、例えば溶接や拡散接合などによって結合され、内部位置決め部材２０３とカバー板２０５を介してタイロッド２１と結合される。
【００２１】
図５は、図１から図４で示したＲＢＷＲで使用される燃料集合体１０と制御棒２０における、燃料集合体１０と、定格運転時の制御棒２０Ａおよび挿入時の制御棒２０Ｂの位置関係を示す模式図である。燃料集合体１０は、上部より、上部タイプレート１１、中性子吸収・プレナム領域１２、燃料有効領域１３、中性子吸収領域１４、下部タイプレート１５で構成される。下部タイプレート１５は燃料支持金具３０によって支持され、燃料支持金具３０は炉心支持板３１に固定される。制御棒２０Ａは、ＲＢＷＲの通常運転時の制御棒配置であり、フォロアー２３が燃料有効領域１３と同じ高さに挿入されることで、中性子吸収能・中性子減速能が大きい軽水領域を排除し、通常運転時の水対燃料物質比を小さくすることができる。制御棒２０Ｂは、大規模な地震などによってＲＢＷＲが緊急停止する際の制御棒配置であり、通常運転時の制御棒２０Ａにて下方にあった中性子吸収部２４が、燃料有効領域１３と同じ高さに挿入されることで、中性子を吸収し炉心反応を停止することができる。
【００２２】
［第１の実施の形態］
本発明の制御棒の第１の実施の形態の構成を図６乃至図７を用いて説明する。
図６乃至図７は本発明の制御棒の第１の実施の形態の構成を示すもので、図６は本発明の制御棒の第１の実施の形態を示す斜視図、図７は図６に示す本発明の制御棒の第１の実施の形態のフォロアーの一例を示す横断面図、およびフォロアーのブレード部の詳細構造を示す拡大図である。
【００２３】
図６において、制御棒のフォロアー２３Ａは、内部に波板状の構造を有しており、図６中の矢印に示す方向の曲げ剛性が高くなるものである。図７に示すように、フォロアー２３Ａは、フォロアー２３Ａの横断面方向に波状となる波板構造部材２１０Ａと、空間部２１１と、図３に示したものと同様の内部位置決め部材２０３と、外部位置決め部材２０４と、カバー板２０５により構成される。即ち、波板構造部材２１０Ａを形成する稜線は、タイロッド２１の中心軸と並行に位置する。また、波板構造部材２１０Ａは、例えば制御棒用材料として一般的に使用されるステンレス鋼ＳＵＳ３１６Ｌなどを材料として、波板部を溶接や拡散接合により結合するか、または鋳造等で一体成形するかして製造される。空間部２１１には、通常の空気が封入されるが、真空としたり、窒素などの不活性ガスを封入したりしてもよい。
【００２４】
図６の矢印に示すように、波板構造部材２１０Ａは、ブレード長手方向のみ曲げ剛性を高めることができるので、地震時発生時等の制御棒自身に曲げ変形が生じる場合や、制御棒挿入時に曲げ荷重が作用して曲げ変形が生じる場合において、その変形量を小さくすることができる。さらに図５に示したように、ＲＢＷＲでは、制御棒１０は通常運転時、制御棒挿入後のいずれの状態でも、半分程度以上挿入された状態であるため、地震時発生時等の燃料集合体１０に曲げ変形が生じる場合に、その変形を拘束することで、燃料集合体１０の応答変位を小さくすることができる。すなわち、燃料集合体１０や制御棒２０が接触・衝突する際に発生する荷重を小さくすることができる。
【００２５】
波板構造部材２１０Ａは、所望の剛性を達成でき、かつ断面積が小さくなる形状が望ましい。これは、波板構造部材２１０Ａの材質として使用されるステンレス鋼には若干の中性子吸収能があるためである。波板構造部材２１０Ａの形状は、図６乃至図７に示す形状に限定するものではなく、波状の形を描き、特定の方向の剛性を高めることのできる形状が適用可能である。
【００２６】
第１の実施の形態の制御棒のフォロアー２３Ａでは、空間部２１１を有することで、図３に示した従来のフォロアー２３に比べて体積が小さくなる。しかしながら、波板構造部材２１０Ａは、地震発生時等の曲げ荷重や、制御棒全面に作用する炉内圧力に対して十分な強度を持つので、制御棒自身およびフォロアー２３Ａが損傷することはない。また、空間部２１１を有することで体積が小さいので、フォロアー２３の質量が小さくなり、制御棒挿入性において有利となる。または制御棒挿入性に有利になるので、制御棒駆動装置に接続されているアキュムレータ圧を小さく、またはアキュムレータ容量を小さくすることができる。
【００２７】
さらに、黒鉛材料２０１に代表される黒鉛材料は、中性子吸収能は小さいが、例えば高温ガス炉で減速材や反射材に使用されているように、軽水より小さいが中性子減速能を有する。第１の実施の形態の制御棒のフォロアー２３Ａでは、このような黒鉛材料を使用しないため、中性子吸収効果をさらに小さくすることができる。
【００２８】
［第２の実施の形態］
次に、本発明の制御棒の第２の実施の形態を図８Ａ及び図８Ｂを用いて説明する。
図８Ａ及び図８Ｂは、本発明の制御棒の第２の実施の形態のフォロアーの一例を示す横断面図である。なお、図８Ａ及び図８Ｂにおいて、図１乃至図７に示す符号と同符号のものは、同一部分であるので、その詳細な説明は省略する。
【００２９】
図８Ａに示す、本発明の制御棒の第２の実施の形態のフォロアー２３Ｂでは、波板構造部材２１０Ｂが周囲の構造と結合されていないことを特徴とする。これにより、波板構造部材２１０Ｂと他の部位を別々に成型でき、結合する必要がないので製作性が向上する。
【００３０】
図８Ａに示す、本発明の制御棒の第２の実施の形態のフォロアー２３Ｂでは、波板構造部材２１０Ｂが周囲の構造と結合されていない、つまり製造時に溶接等を必要としないので、製造時にカバー板２０５などに残留応力が発生することはない。また制御棒および制御棒のフォロアー２３Ｂに曲げ変形が生じた場合にも、波板構造部材２１０Ｂがフォロアー２３Ｂ内部で、フォロアー２３Ｂの変形に追従して移動できるので、カバー板２０５など波板構造部材２１０Ｂに発生する応力を低減することができる。これにより、制御棒に照射起誘型応力腐食割れ（ＩＡＳＣＣ：Ｉｒａｄｉａｔｉｏｎ  Ａｓｓｉｓｔｅｄ  Ｓｔｒｅｓｓ  Ｃｏｒｒｏｓｉｏｎ  Ｃｒａｃｋｉｎｇ）が発生すことなどによって損傷する可能性を低減できる。フォロアー２３Ｂの波板構造部材２１０Ｂは周囲の部材と摺動するため、波板構造部材２１０Bの表面が損傷する可能性があるが、例えば、周囲の部材の間に黒鉛シートのようなものを挟むことで、金属同士の摺動による、波板構造部材２１０Bの表面の損傷を抑えることができる。
【００３１】
本実施の形態におけるフォロアー２３Ｂにおいても、第１の実施の形態のフォロアー２３Ａと同様に、波板構造部材２１０Ｂによってブレード長手方向のみ曲げ剛性を高めることができるので、地震発生時等の制御棒自身曲げの変形量を小さくすることができる。さらに燃料集合体１０の曲げ変形を拘束することで、燃料集合体１０の応答変位を小さくすることができる。すなわち、燃料集合体１０が隣接する燃料集合体１０と接触・衝突する際に発生する荷重を小さくすることができる。
【００３２】
図８Ｂに示す、本発明の制御棒の第２の実施の形態のフォロアー２３Cでは、波板構造部材２１０Cを曲線状に製造した例である。この場合、波板構造部材２１０Cには応力集中箇所がないため、制御棒１０やフォロアー２３Cが変形した際にも、波板構造部材２１０Cに局所的に大きな応力が発生することがなく、さらに損傷の可能性を低減することが可能である。
【００３３】
［第３の実施の形態］
次に、本発明の制御棒の第３の実施の形態を図９を用いて説明する。
図９は本発明の制御棒の第３の実施の形態のフォロアーの一例を示す横断面図、およびフォロアーのブレード部の詳細構造を示す拡大図である。なお、図９において、図１乃至図８Ｂに示す符号と同符号のものは、同一部分であるので、その詳細な説明は省略する。
【００３４】
図９に示す、本発明の制御棒の第３の実施の形態のフォロアー２３Ｄでは、波板構造部材２１０Ｂの内部に黒鉛材料２０１を内包することを特徴とする。これにより、フォロアー２３Ｄの曲げ剛性がさらに高くなり、燃料集合体の応答変位を低減し、すなわち燃料集合体同士の接触・衝突力を低減できる。
【００３５】
図９に示す、フォロアー２３Ｄにおける板波構造２１０Ｂは、例えば、本発明の制御棒の第２の実施の形態のフォロアー２３Ａの板波構造２１０Ａや板波構造２１０Ｃのようなものであってもよい。また黒鉛材料２０１は、フォロアー２３Ｃの曲げ剛性を高める目的では、高温ガス炉等で使用される黒鉛材料強度部材が望ましいが、その他の黒鉛材料や、中性子吸収能および中性子減速能が小さい材料などでもよい。高温ガス炉等で使用される黒鉛材料強度部材には１０ＧＰａ程度あるため、ステンレス鋼と比較して効果は小さいが、フォロアー２３Ｃ内部の空間に内包することで、フォロアー２３Ｃの曲げ剛性を高めることができる。
【００３６】
［第４の実施の形態］
次に、本発明の制御棒の第４の実施の形態を図１０を用いて説明する。
図１０は本発明の制御棒の第４の実施の形態のフォロアーの一例を示す斜視図である。なお、図１０において、図１乃至図９に示す符号と同符号のものは、同一部分であるので、その詳細な説明は省略する。
【００３７】
図１０に示す、制御棒の第４の実施の形態のフォロアー２３Ｅでは、本発明の制御棒の第１から第３の実施の形態の板波構造について、フォロアー２３Ｅの縦方向断面に波状となる波板構造部材を配置することを特徴とする。即ち、本実施形態の波板構造部材を形成する稜線は、タイロッド２１の中心軸と垂直に位置する。これにより、フォロアー２３Ｅでは、図１０中の矢印に示す方向の曲げ剛性を高めることができる。つまり、制御棒１０のねじり剛性を高めることができるので、地震発生時等の制御棒自身の振れまわり、および燃料集合体の振れまわりを抑えることができる。
【００３８】
［第５の実施の形態］
次に、本発明の制御棒の第５の実施の形態を図１１を用いて説明する。
図１１は本発明の制御棒の第５の実施の形態のフォロアーの一例を示す斜視図である。なお、図１１において、図１乃至図１１に示す符号と同符号のものは、同一部分であるので、その詳細な説明は省略する。
【００３９】
図１１に示す、制御棒の第５の実施の形態のフォロアー２３Ｆでは、例えば、本発明の制御棒の第１の実施の形態のフォロアー２３Ａと、第４の実施の形態のフォロアー２３Ｅを、それぞれ上下方向につなげた構造であることを特徴とする。これにより、フォロアー２３Ｆでは、図１１中の矢印に示すように、上下方向位置によって、異なる方向の曲げ剛性を高めることができる。なお、フォロアー２３Ｆは、図１１に示すような２段の構造に限定するものではなく、任意の段数、板波構造の組み合わせが可能である。
【００４０】
図１１に示すようなフォロアー２３Ｆでは、例えば、地震発生時等の燃料集合体の振れまわりが大きい条件、またはそのような位置に配置される制御棒の場合には、フォロアー２３Ｅに示すような板波構造を多く有する構成とすることで、燃料集合体の振れまわりによって発生する接触や衝突、および接触・衝突力を効果的に低減することができる。燃料集合体の曲げ変形が大きい条件においても同様である。
【００４１】
なお、本発明は上述した第１乃至第５の実施の形態に限られるものではなく、様々な変形例が含まれる。上記した実施形態は本発明をわかり易く説明するために詳細に説明したものであり、必ずしも説明した全ての構成を備えるものに限定されるものではない。例えば、ある実施形態の構成の一部を他の実施の形態の構成に置き換えることが可能であり、また、ある実施形態の構成に他の実施の形態の構成を加えることも可能である。また、各実施形態の構成の一部について、他の構成の追加、削除、置換をすることも可能である。
【符号の説明】
【００４２】
１０…燃料集合体、  １１…上部タイプレート、  １２…中性子吸収・プレナム領域、  １３…燃料有効領域、  １４…中性子吸収領域、  １５…下部タイプレート、  ３０…燃料支持金具、  ３１…炉心支持板、  ２０、２０Ａ、２０Ｂ…制御棒、  ２１…タイロッド、  ２２…ハンドル、  ２３、２３Ａ、２３Ｂ、２３Ｃ、２３Ｄ、２３Ｅ、２３Ｆ…フォロアー、  ２４…中性子吸収部、  ２５…コネクタ、  ２０１…黒鉛材料、  ２０２…黒鉛内包材、  ２０３…内部位置決め部材、  ２０４…外部位置決め部材、  ２０５…カバー板、  ２０６…中性子吸収材、  ２０７…スクエア管、  ２１０Ａ、２１０Ｂ、２１０Ｃ…波板構造部材、  ２１１…空間部
【図１】
2018072053.tif 000003
【図２】
2018072053.tif 000004
【図３】
2018072053.tif 000005
【図４】
2018072053.tif 000006
【図５】
2018072053.tif 000007
【図６】
2018072053.tif 000008
【図７】
2018072053.tif 000009
【図８Ａ】
2018072053.tif 000010
【図８Ｂ】
2018072053.tif 000011
【図９】
2018072053.tif 000012
【図１０】
2018072053.tif 000013
【図１１】
2018072053.tif 000014